(57)【特許請求の範囲】
【請求項１】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる磁界を発生させるための電流を供給する電流供給手段と、
前記磁気センサが検知する信号を、周波数および位相の違いから検知する検波器と、
を備え、
前記検波器による検出結果に基づいて前記被誘導部材の位置及び方向に関する情報を得ることを特徴とする磁気誘導装置。
【請求項２】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる磁界を発生させるために、前記磁気誘導部材を機械的に変位させる手段と、
前記磁気センサが検知する信号を、周波数および位相の違いから検知する検波器と、
を備え、
前記検波器による検出結果に基づいて前記被誘導部材の位置及び方向に関する情報を得ることを特徴とする磁気誘導装置。
【請求項３】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる磁界を発生させるために、前記磁気誘導部材に設けられた磁気シールドの磁気遮蔽効果を変化させる手段と、
前記磁気センサが検知する信号を、フィルタを用いて周波数および位相の違いから検知する検波器と、
を備え、
前記検波器による検出結果に基づいて前記被誘導部材の位置及び方向に関する情報を得ることを特徴とする磁気誘導装置。
【請求項４】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる磁界を発生させるために、前記磁気誘導部材を構成する磁気回路の磁気抵抗を変化させる手段と、
前記磁気センサが検知する信号を、フィルタを用いて周波数および位相の違いから検知する検波器と、
を備え、
前記検波器による検出結果に基づいて前記被誘導部材の位置及び方向に関する情報を得ることを特徴とする磁気誘導装置。
【請求項５】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記被誘導部材に動力を与えるための磁界とは異なる磁界を発生させる磁界発生部材と、
前記磁気センサが検知する信号を、周波数および位相の違いから検知する検波器と、
を備え、
前記検波器による検出結果に基づいて前記被誘導部材の位置及び方向に関する情報を得ることを特徴とする磁気誘導装置。
【請求項６】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる位相の交流磁界を発生させるための交流電流を供給する電流供給手段と、
前記磁気センサが検知する信号を、位相検波する位相検波器と、
を備え、
前記検波器による検出結果に基づいて前記被誘導部材の位置及び方向に関する情報を得ることを特徴とする磁気誘導装置。
【請求項７】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる位相の交流磁界を発生させるために、前記磁気誘導部材を機械的に振動させる手段と、
前記磁気センサが検知する信号を、位相検波する位相検波器と、
を備え、
前記検波器による検出結果に基づいて前記被誘導部材の位置及び方向に関する情報を得ることを特徴とする磁気誘導装置。
【請求項８】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる位相の交流磁界を発生させるために、前記磁気誘導部材に設けられた磁気シールドの磁気遮蔽効果を変調させる手段と、
前記磁気センサが検知する信号を、位相検波する位相検波器と、
を備え、
前記検波器による検出結果に基づいて前記被誘導部材の位置及び方向に関する情報を得ることを特徴とする磁気誘導装置。
【請求項９】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記磁気誘導部材に対して、前記被誘導部材に動力を与えるための磁界とは異なる位相の交流磁界を発生させるために、前記磁気誘導部材を構成する磁気回路の磁気抵抗を変調させる手段と、
前記磁気センサが検知する信号を、位相検波する位相検波器と、
を備え、
前記検波器による検出結果に基づいて前記被誘導部材の位置及び方向に関する情報を得ることを特徴とする磁気誘導装置。
【請求項１０】
対象物内部に導入された磁性体あるいはコイルを備える被誘導部材を誘導する磁気誘導装置であって、
前記被誘導部材に備えられた磁気センサと、
前記対象物外部に配置され、前記被誘導部材に動力を与えるための磁界を発生する磁気誘導部材と、
前記対象物外部に配置され、前記被誘導部材に動力を与えるための磁界とは異なる位相の交流磁界を発生させるための磁界発生部材と、
前記磁気センサが検知する信号を、位相検波する位相検波器と、
を備え、
前記検波器による検出結果に基づいて前記被誘導部材の位置及び方向に関する情報を得ることを特徴とする磁気誘導装置。
【発明の詳細な説明】
【技術分野】
【０００１】
本発明は、対象物内部に導入した被誘導部材を、外部磁界により誘導する磁気誘導装置に関する。
【背景技術】
【０００２】
磁性体を備えた器具（被誘導部材）を対象物内部に導入し、これらの器具を磁気的に誘導する磁気誘導装置は、古くは１９６０年代の米国から近年までさまざまな形で提案されている（特許文献１〜４）。
【０００３】
このような磁気誘導装置は、被誘導部材が磁性体を備えているという簡単な構造で、ワイヤレスで被誘導部材を制御でき、被誘導部材の方向制御だけでなく被誘導部材に駆動力も与えることができるといった点で、他のアクチュエータでは実現が困難な優れた特長がある。
【０００４】
磁気誘導装置は、被誘導部材を誘導するという観点からすると次の２つ以上に分けることができる。そのうちの一つは、固定された一個以上の磁気発生部（例えば複数のコイル）を使用したものであって、磁気発生部で発生する磁気の強さを変化させる装置である。もう一つは、磁気発生部の位置を変化させることによって被誘導部材に作用させる磁界を変化させる装置である。
【０００５】
磁気発生部が固定された磁気誘導装置では、可動部がないために操作者及び患者が安心感を得られ、かつ、安全性が高いという利点がある。一方、磁気発生部を可動させる装置は、固定された磁気発生部による装置と比較して、使用する磁気発生部が少なくて済むことや、状況に応じて、被誘導部材にできるだけ近づけることが可能なために、省エネルギー、装置の低コスト化、及び装置の軽量化が期待できる。
【０００６】
一方、磁気発生部の構造という観点からすると、磁気発生部として空芯コイルを使用する場合と、鉄等の磁性体を挿通したコイルを使用する場合と、に大別することができる。
【０００７】
磁気発生部として空芯コイルを使用した場合には、比較的軽量な装置で均一な磁界が発生でき、コイル電流と発生磁界がほぼ完全な比例関係にあるために磁界の制御が容易である、という利点がある。
【０００８】
一方、磁気発生部として鉄等の磁性体を挿通したコイルを使用した場合は、鉄等の磁性体があるために、磁界の発生効率が著しく高くなるという利点がある。さらに、２つの磁極のギャップの反対側を磁性体で連結すると、ギャップ方向の反対側の磁極面がなくなるため、さらに発生磁界の効率を高めることができ、漏れ磁束を著しく低減できるという利点がある。
【０００９】
このように、対象物内部の被誘導部材を磁気的に誘導する磁気誘導装置は様々な形態のものが考えられるが、近年、被誘導部材を精度よく誘導するために、いずれの形態のものについても被誘導部材の位置や方向を検出する装置と併用されることが多くなりつつある。従来は、被誘導部材の位置や方向を検出する装置として、Ｘ線を用いた画像診断装置（Ｘ線画像診断装置）が用いられることが多かった。
【特許文献１】米国特許第３３５８６７６号明細書
【特許文献２】特開２００１−１７９７００号公報
【特許文献３】特開２００２−２３３５７５号公報
【特許文献４】特開２００４−１０５２４７号公報
【特許文献５】特開２００４−２１３６２０号公報
【発明の開示】
【発明が解決しようとする課題】
【００１０】
しかし、磁気誘導装置とＸ線画像診断装置とを併用する場合には、両装置のレイアウト上の制限のために、装置が大型化したり、性能がお互いに制限されたりするという問題があった。さらに、Ｘ線画像診断装置では、操作者や対象物（例えば患者）へのＸ線の被爆の問題があった。このため、被誘導部材の位置や方向を検出する装置としては、Ｘ線画像診断装置以外の装置が求められつつある。
【００１１】
また、被誘導部材として内視鏡を、被誘導部材の位置や方向を検出する装置としてＸ線画像診断装置を、それぞれ用いた場合、Ｘ線画像診断装置から得られる位置や方向の情報からだけでは、内視鏡による画像における位置や方向が特定できなかった。このため、内視鏡による画像を見ても、すばやく確実に、内視鏡の画像に基づいた誘導を行うことが困難であるという問題があった。
【００１２】
Ｘ線画像診断装置以外の被誘導部材の位置や方向の検出装置としては、位置及び方向検出用に設けた外部のコイルで発生した磁界、及び、被誘導部材を誘導させるために作用させる磁界を、磁気センサで検知する装置（例えば特許文献５に示すようなモーションキャプチャセンサ装置）や、対象物内部の磁性体から発生する磁界を外部の磁気センサで検知する装置（例えば特許文献２）がある。
【００１３】
しかし、位置及び方向検出用に設けた外部のコイルから発生した磁界を磁気センサで検知する装置を使用する場合は、被誘導部材に装着されている磁性体自体が、その近傍に大きな磁気を作用させるため、外部のコイルからの磁界のみを分離して検出することは困難であった。さらに、磁気誘導装置により、被誘導部材を誘導するための大きな磁界が外部から作用しているために、位置や方向を検出するための磁界のみを分離して検出することがさらに困難であった。また、外部磁界に応じて被誘導部材自体が大きく動いてしまうため、リアルタイムで外部磁界と被誘導部材との位置関係を特定することが難しく、リアルタイムでの方向の検出も困難であった。
【００１４】
一方、対象物内部の被誘導部材に装着した磁性体の磁気を外部に設けた磁気センサで位置を検出する場合は、誘導を行っているときには、被誘導部材誘導用の大きな磁界が発生しているので、被誘導部材誘導用の磁界と被誘導部材に装着した磁性体からの磁界との分離を行うことが難しく、やはり、誘導を行いながらの、リアルタイムでの位置や方向の検出が困難であった。
【課題を解決するための手段】
【００１５】
上記課題を解決するために、本発明の磁気誘導装置は、対象物内部に導入された磁性体を備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる磁界を発生させるための電流を供給する電流供給手段と、磁気センサが検知する信号を、周波数および位相の違いから検知する検波器と、を備え、検波器による検出結果に基づいて被誘導部材の位置及び方向に関する情報を得ることを特徴としている。
【００１６】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる磁界を発生させるための電流を供給する電流供給手段と、磁気センサが検知する信号を、周波数および位相の違いから検知する検波器と、を備え、検波器による検出結果に基づいて被誘導部材の位置及び方向に関する情報を得ることを特徴としている。
【００１７】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる磁界を発生させるために、前記磁気誘導部材を機械的に変位させる手段と、磁気センサが検知する信号を、フィルタを用いて、周波数および位相の違いから検知する検波器と、を備え、検波器による検出結果に基づいて被誘導部材の位置及び方向に関する情報を得ることを特徴としている。
【００１８】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる磁界を発生させるために、前記磁気誘導部材に設けられた磁気シールドの磁気遮蔽効果を変化させる手段と、磁気センサが検知する信号を、フィルタを用いて、周波数および位相の違いから検知する検波器と、を備え、検波器による検出結果に基づいて被誘導部材の位置及び方向に関する情報を得ることを特徴としている。
【００１９】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる磁界を発生させるために、前記磁気誘導部材を構成する磁気回路の磁気抵抗を変化させる手段と、磁気センサが検知する信号を、周波数および位相の違いから検知する検波器と、を備え、検波器による検出結果に基づいて被誘導部材の位置及び方向に関する情報を得ることを特徴としている。
【００２０】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、前記対象物外部に配置され、前記被誘導部材に動力を与えるための磁界とは異なる磁界を発生させる磁界発生部材と、磁気センサが検知する信号を、フィルタを用いて、周波数および位相の違いから検知する検波器と、を備え、検波器による検出結果に基づいて被誘導部材の位置及び方向に関する情報を得ることを特徴としている。
【００２１】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる交流磁界を発生させるための交流電流を供給する電流供給手段と、磁気センサが検知する信号を、位相検波するための位相検波器と、を備え、検波器による検出結果に基づいて被誘導部材の位置及び方向に関する情報を得ることを特徴としている。
【００２２】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる交流磁界を発生させるために、前記磁気誘導部材を機械的に振動させる手段と、磁気センサが検知する信号を、位相検波する位相検波器と、を備え、検波器による検出結果に基づいて被誘導部材の位置及び方向に関する情報を得ることを特徴としている。
【００２３】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる交流磁界を発生させるために、前記磁気誘導部材に設けられた磁気シールドの磁気遮蔽効果を変調させる手段と、磁気センサが検知する信号を、位相検波する位相検波器と、を備え、検波器による検出結果に基づいて被誘導部材の位置及び方向に関する情報を得ることを特徴としている。
【００２４】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、対象物外部に配置され、磁気誘導部材に対して、被誘導部材に動力を与えるための磁界とは異なる交流磁界を発生させるために、前記磁気誘導部材を構成する磁気回路の磁気抵抗を変調させる手段と、磁気センサが検知する信号を、位相検波する位相検波器と、を備え、検波器による検出結果に基づいて被誘導部材の位置及び方向に関する情報を得ることを特徴としている。
【００２５】
また、本発明の磁気誘導装置は、対象物内部に導入された磁性体またはコイルを備える被誘導部材を誘導する磁気誘導装置であって、被誘導部材に備えられた磁気センサと、対象物外部に配置され、被誘導部材に動力を与えるための磁界を発生する磁気誘導部材と、前記対象物外部に配置され、前記被誘導部材に動力を与えるための磁界とは異なる交流磁界を発生させる交流磁界発生部材と、磁気センサが検知する信号を、位相検波する位相検波器と、を備え、検波器による検出結果に基づいて被誘導部材の位置及び方向に関する情報を得ることを特徴としている。
【発明の効果】
【００２６】
本発明によると、対象物内部の磁性体を装着した被誘導部材を磁気誘導することができるとともに、誘導用磁界や被誘導部材に装着された磁性体の影響を受けることなく、リアルタイムに被誘導部材の位置や方向の情報を得ることができる。このため、被誘導部材の制御性が向上し、より安全な誘導を行うことが可能になる。さらに、被誘導部材の位置や方向の情報を得るための放射線診断装置を使用する頻度を低減することができるために、対象物や操作者への放射線被爆を低減することができる。
【００２７】
また、被誘導部材に磁性体を備えた内視鏡を使用する場合は、磁気による動力を用いて、屈曲だけでなく推進力を得ることができるため、内視鏡にワイヤーなどによる有線の屈曲機構を備える必要がなくなり、内視鏡を微細化できる。したがって、従来内視鏡を導入することが困難であったために観察や治療ができなかった部位にも内視鏡を挿入できる。さらに、磁気センサを内視鏡に備えることにより、内視鏡の位置及び向いている方向を確定させることができる。このため、内視鏡の画像に基づいて誘導方向を指定することにより、容易に磁気誘導を行うことができる。
【００２８】
また、位置や方向を検出するための交流磁界の大きさを、被誘導部材が微振動する程度の大きさにすれば、この振動の効果で、被誘導部材と被誘導部材が接する面との接触抵抗を低減させることができ、被誘導部材の誘導補助の効果も期待できる。
【発明を実施するための最良の形態】
【００２９】
以下、本発明にかかる実施形態を図面を参照しつつ詳しく説明する。本実施形態に係る磁気誘導装置は、３軸の平行配置空芯コイル（磁気誘導部材）１０、電源（交流電流供給手段）２０Ａ、位相検波器３０、内視鏡４（被誘導部材）、及び、磁気センサ６、を有する。
【００３０】
平行配置空芯コイル１０は、Ｚ軸方向（鉛直方向）（図１の上下方向）、並びに、Ｚ軸方向に直交する水平面内で互いに直交するＸ軸方向（図１の左右方向）及びＹ軸方向に、それぞれ２つずつ配置された空芯コイルからなる。すなわち、Ｘ軸方向において互いに平行に配置されたＸ軸方向コイル１１１及びＸ軸方向コイル１１２、Ｙ軸方向において互いに平行に配置されたＹ軸方向コイル１２１及びＹ軸方向コイル１２２、並びに、Ｚ軸方向において互いに平行に配置されたＺ軸方向コイル１３１及びＺ軸方向コイル１３２により、平行配置空芯コイル１０は構成される。
【００３１】
Ｘ軸方向コイル１１１、１１２、Ｙ軸方向コイル１２１、１２２、Ｚ軸方向コイル１３１、１３２は、それぞれ絶縁皮膜された銅線が多層に巻かれることで構成された空芯コイルであって、例えば、直方体状のフレーム（不図示）の各面にそれぞれが固定されることによって、３軸の平行配置空芯コイル１０を構成する。
【００３２】
Ｘ軸方向コイル１１１、１１２、Ｙ軸方向コイル１２１、１２２、Ｚ軸方向コイル１３１、１３２には、電源２１１、２１２、２２１、２２２、２３１、２３２がそれぞれ接続されている。これらの電源は、接続されている制御装置５５の制御のもと、互いに独立して作動する。よって、Ｘ軸方向コイル１１１、１１２、Ｙ軸方向コイル１２１、１２２、Ｚ軸方向コイル１３１、１３２に印加される電流は互いに独立している。
【００３３】
電源２１２、２２２、２３２（電源２０Ｂ）は、Ｘ軸方向コイル１１２、Ｙ軸方向コイル１２２、Ｚ軸方向コイル１３２に対して、内視鏡４を誘導するための電流をそれぞれ印加する。これに対して、電源２１１、２２１、２３１（電源２０Ａ）は、Ｘ軸方向コイル１１１、Ｙ軸方向コイル１２１、Ｚ軸方向コイル１３１に対して、内視鏡４を誘導するための電流（主電流）に所定の交流電流（重畳交流電流）を重畳した電流をそれぞれ印加する。
【００３４】
制御装置５５には入力装置としてのジョイスティック６０が接続されている。操作者がこのジョイスティック６０を操作することにより、所望の内視鏡４の方向や位置を、ジョイスティックからの電圧信号として、制御装置５５に、入力することができる。なお、入力装置は、ジョイスティックのほかに、マウス、キーボードなどを用いることができる。
【００３５】
電源２１１、２２１、２３１に重畳される交流電流の周波数は、互いに異なるように設定され、例えば、電源２１１に重畳する交流電流の周波数を７Ｈｚ、電源２２１に重畳する交流電流の周波数を１３Ｈｚ、電源２３１に重畳する交流電流の周波数を２０Ｈｚとすることができる。
【００３６】
電源２１１、２２１、２３１に重畳する交流電流の振幅は、内視鏡４を誘導するための主電流よりも小さいことが好ましく、例えば主電流として最大供給できる電流の２００分の１とすることができる。
【００３７】
内視鏡４は、磁性体５と磁気センサ６を備えている。磁性体５は、内視鏡４の先端部の外周上に装着されている。磁気センサ６は、内視鏡４に接続された画像表示装置４１（例えばディスプレイと画像処理装置）に表示される内視鏡の画像において、左から右に向かう方向に対応する方向に磁気の検知面が向くように、内視鏡４の先端部に内蔵されている。このように配置された磁性体５、磁気センサ６は、Ｘ軸方向コイル１１１、１１２、Ｙ軸方向コイル１２１、１２２、Ｚ軸方向コイル１３１、１３２で囲まれる空間内に配置される。磁性体５としては、例えば、純鉄、鉄合金のほか、プラチナマグネット、希土類磁石、金属磁石などの磁石を使用することができる。磁気センサ６は、１軸のセンサであって、例えば、寸法が数十ミクロン単位で、ダイナミックレンジが大きく、応答速度が少なくとも数百Ｈｚ以上あることが知られているホール素子を用いることができる。
【００３８】
磁気センサ６は、内視鏡４を磁気誘導するための大きな磁界、内視鏡４に装着された磁性体５が発生する磁界、及び、位置検出のために電源２０Ａに重畳された交流電流によって発生する微弱な交流磁界を検出することができる。磁気センサ６から出力された検出信号は、これに接続されたセンサ信号増幅器４２で増幅される。
【００３９】
位相検波器３１、３２、３３（位相検波器３０）は、電源２１１、２２１、２３１にそれぞれ接続されており、電源２１１、２２１、２３１がＸ軸方向コイル１１１、Ｙ軸方向コイル１２１、Ｚ軸方向コイル１３１へ出力する重畳交流電流と同期した電圧信号（参照信号）が入力される。さらに、この位相検波器３１〜３３は、センサ信号増幅器４２を介して磁気センサ６に接続されており、磁気センサ６から出力された検出信号が入力される。磁気センサ６からの信号は、センサ信号増幅器４２で増幅された後に、Ｔ字型や十字型の分配器（不図示）を介して、同じ信号が、位相検波器３１、３２、３３に供給される。
【００４０】
つづいて、内視鏡の位置及び方向の検知について、図２及び図３を参照しつつ説明する。なお、図２のａ〜ｅは図３のａ〜ｅに対応する。内視鏡４の位置及び方向の検出は、位相検波器３１〜３３に入力された信号のうち、参照信号と同期した信号だけを取り出して、これを増幅（位相検波増幅）することにより行う。検出はフィルタを用いて周波数および位相の違いから検知することもできる。
【００４１】
以下の説明は、参照信号として、電源２１１から位相検波器３１に７Ｈｚの交流電流に同期した電圧信号を、電源２２１から位相検波器３２に１３Ｈｚの交流電流に同期した電圧信号を、電源２３１から位相検波器３３に２０Ｈｚの交流電流に同期した電圧信号を、それぞれ供給した場合について行う。
【００４２】
位相検波器３１〜３３は、入力した信号のうち、それぞれ参照信号と同期した成分だけをそれぞれ位相検波増幅し、平滑化された直流電圧信号（出力電圧信号）Ｖs1，Ｖs2，Ｖs3をそれぞれ、制御装置５５に供給する。この位相検波器３１〜３３からの出力信号は、磁気センサ６のある位置におけるそれぞれの交流磁界ベクトルと磁気センサ６の検知面を垂直に貫く単位方向ベクトルとの内積となっている。
【００４３】
磁気センサ６の検知面を垂直に貫く単位方向ベクトルを（Ｌx，Ｌy，Ｌz）（直交座標系）とし、７Ｈｚの参照信号で位相検波して得られた出力電圧信号Ｖs1を磁界に換算したものをＨs1、１３Ｈｚの参照信号で位相検波して得られた出力電圧信号Ｖs2を磁界に換算したものをＨs2、２０Ｈｚの参照信号で位相検波して得られた出力電圧信号Ｖs3を磁界に換算したものをＨs3とし、Ｘ軸方向コイル１１１に供給される交流電流による交流磁界の振幅ベクトルを（Ｈ11、Ｈ12、Ｈ13）、Ｙ軸方向コイル１２１に供給される交流電流による交流磁界の振幅ベクトルを（Ｈ21、Ｈ22、Ｈ23）、Ｚ軸方向コイル１３１に供給される交流電流による交流磁界の振幅ベクトルを（Ｈ31、Ｈ32、Ｈ33）とすると、次の３式（式１）が成り立つ。
Ｈs1＝Ｈ11Ｌx＋Ｈ12Ｌy＋Ｈ13Ｌz
Ｈs2＝Ｈ21Ｌx＋Ｈ22Ｌy＋Ｈ23Ｌz
Ｈs3＝Ｈ31Ｌx＋Ｈ32Ｌy＋Ｈ33Ｌz
【００４４】
ここで、関数Ｈ11からＨ33は、それぞれが位置座標（Ｘ，Ｙ，Ｚ）の関数であるが、これは、あらかじめ計算や実測によって求めておくことができる。これらの関数は、基本的に、被誘導部材を誘導するための主磁界に依存しない。
【００４５】
Ｈs1、Ｈs2、Ｈs3は実測値であるので、任意の（Ｘ，Ｙ，Ｚ）の組み合わせについて、上式の連立方程式を解けば、Ｌx、Ｌy、Ｌzが求まる。ただし、Ｌx、Ｌy、Ｌzは単位ベクトルであるので、次式（式２）が成立する必要がある。
Ｌx2＋Ｌy2＋Ｌz2＝１
【００４６】
そこで、例えば、被誘導部材を誘導することを想定している最大限の領域について、ＸとＹとＺ方向にそれぞれ３分割した、２７個のブロック領域の中心点の座標について式１を解き、その結果の中で、Ｌx2＋Ｌy2＋Ｌz2の値が最も１に近づく点を選び、この点を中心とした、前回の計算領域よりも小さな領域で同様に２７個のブロック領域に分割してその中心点での座標での計算を行う、といった操作を、誘導制御を行うのに十分な範囲に収束するまで繰り返すことにより、高い精度で、磁気センサ６の位置座標（Ｘ，Ｙ，Ｚ）及び方位（Ｌx，Ｌy，Ｌz）を求めることができる。
【００４７】
以上の計算は、位相検波増幅器３の出力電圧信号Ｖs1、Ｖs2、Ｖs3が、制御装置５５に供給されると、制御装置内のＡＤ変換器を介してデジタル信号に換算された後、Ｈs1、Ｈs2、Ｈs3の値に換算され、さらに上述のアルゴリズムによって計算することにより求めることができるが、収束させるのに例えば１０回の繰り返し計算を行うとしても、わずかに２７０回の一次３連の連立方程式を解くほどの演算に過ぎない。さらに、前回の位置が判明している場合には、位置の計算走査を行う範囲を前回の位置の近くの一定範囲に限定することにより、計算時間を短縮することもできる。
【００４８】
次に、磁気センサ６の存在する位置の座標（Ｘ0，Ｙ0，Ｚ0）および磁気センサ６の方位を示す座標（Ｌx0、Ｌy0、Ｌz0）を求めるアルゴリズムを示す図２及び図３に基づいて、内視鏡の位置及び方向の検知の流れについて説明する。
【００４９】
まず、磁気センサ６で検知され、位相検波器３１〜３３で位相検波して得られた出力電圧を磁界に換算した値を制御装置５５に入力する（ステップＳ１）。以下の演算は制御装置５５で行う。
【００５０】
つづいて、初期値として、Ｘs、Ｙs、Ｚsをそれぞれ０に、εminを１００に設定し、Ｘm、Ｙm、ＺmをＸmax、Ｙmax、Ｚmaxにそれぞれ設定する（ステップＳ２）。Ｘmax、Ｙmax、Ｚmaxは、位置検出を行う走査範囲の最大値の１／２である。次に、Ｘを−Ｘm＋Ｘsに（ステップＳ３）、Ｙを−Ｙm＋Ｙsに（ステップＳ４）、Ｚを−Ｚm＋Ｚsに（ステップＳ５）、それぞれ設定する。
【００５１】
さらに、Ｈ11、Ｈ12、Ｈ13、Ｈ21、Ｈ22、Ｈ23、Ｈ31、Ｈ32、及びＨ33を、ｆ1（Ｘ，Ｙ，Ｚ）、ｆ2（Ｘ，Ｙ，Ｚ）、ｆ3（Ｘ，Ｙ，Ｚ）、ｆ4（Ｘ，Ｙ，Ｚ）、ｆ5（Ｘ，Ｙ，Ｚ）、ｆ6（Ｘ，Ｙ，Ｚ）、ｆ7（Ｘ，Ｙ，Ｚ）、ｆ8（Ｘ，Ｙ，Ｚ）、及びｆ9（Ｘ，Ｙ，Ｚ）に、それぞれ設定する（ステップＳ６）。ｆ1〜ｆ9は、あらかじめ計算や実測によって求められる位置座標の関数である。
【００５２】
以上のように設定されたＨ11、Ｈ12、Ｈ13、Ｈ21、Ｈ22、Ｈ23、Ｈ31、Ｈ32、Ｈ33、並びに、ＨS1、ＨS2、ＨS3と、式１を用いて、（Ｌx，Ｌy，Ｌz）を算出する（ステップＳ７）。
【００５３】
次に、ステップＳ７で算出した（Ｌx，Ｌy，Ｌz）について、｜Ｌx2＋Ｌy2＋Ｌz2−１｜を算出し、その値をεに入力する（ステップＳ８）。このεがεminよりも小さいとき（ステップＳ９でＹＥＳ）は、εmin、Ｘ0、Ｙ0、Ｚ0、Ｌx0、Ｌy0、Ｌz0を、ε、Ｘ、Ｙ、Ｚ、Ｌx、Ｌy、Ｌzに、それぞれ設定し（ステップＳ１０）、εがεminと同一又はεminより大きいとき（ステップＳ９でＮＯ）は、εmin、Ｘ0、Ｙ0、Ｚ0、Ｌx0、Ｌy0、Ｌz0の値を維持する。
【００５４】
つづいて、Ｚを、Ｚ＋Ｚmに設定し（ステップＳ１１）、このＺがＺm＋Ｚsと同一又はＺm＋Ｚsより小さいとき（ステップＳ１２でＮＯ）は、ステップＳ６にもどる。これに対して、ＺがＺm＋Ｚsより大きいとき（ステップＳ１２でＹＥＳ）は、Ｙを、Ｙ＋Ｙmに設定する（ステップＳ１３）。
【００５５】
次に、ＹがＹm＋Ｙsと同一又はＹm＋Ｙsより小さいとき（ステップＳ１４でＮＯ）は、ステップＳ５にもどる。これに対して、ＹがＹm＋Ｙsより大きいとき（ステップＳ１４でＹＥＳ）は、Ｘを、Ｘ＋Ｘmに設定する（ステップＳ１５）。
【００５６】
さらに、ＸがＸm＋Ｘsと同一又はＸm＋Ｘsより小さいとき（ステップＳ１６でＮＯ）は、ステップＳ４にもどる。これに対して、ＸがＸm＋Ｘsより大きいとき（ステップＳ１６でＹＥＳ）は、Ｘs、Ｙs、Ｚs、Ｘm、Ｙm、ＺmをＸ0、Ｙ0、Ｚ0、Ｘm／２、Ｙm／２、Ｚm／２に設定する（ステップＳ１７）。
【００５７】
次に、ＸmとＸmax／２9を比較して、Ｘmax／２9と同一又はＸmax／２9より大きいとき（ステップＳ１８でＮＯ）は、ステップＳ３にもどる。一方、ＸmがＸmax／２9より小さいとき（ステップＳ１８でＹＥＳ）は、Ｘ0、Ｙ0、Ｚ0、Ｌx0、Ｌy0、Ｌz0を出力（例えば画像表示装置４１に表示）して（ステップＳ１９）、動作を終了する。
【００５８】
以上の計算結果を利用することにより、内視鏡の画像を基準とした方位での内視鏡の誘導の指定に対して、６つのコイルのコイル電流を制御することが可能となる。例えば、内視鏡４に装着されている磁性体５が同心円柱パイプ状永久磁石であり、着磁方向が円柱の軸方向で、内視鏡の先端がＮ極、反対側がＳ極であるとき、Ｘコイル左が３軸コイルの内側から見てＳ極となり、Ｘコイル右が３軸コイルの内側から見てＮ極となり、他のコイルに印加する主電流を０とすれば、内視鏡４の先端が、Ｘ軸方向コイル１１１に正対するような向きに内視鏡４に装着された磁性体５に磁気トルクは作用する。このとき、上述した位置と方向の検出方法によって、磁気センサ６の方位が（０、−１、０）であったとすると、磁気センサ６の方位と内視鏡４の先端の方位は常に一定の関係があるので、ただちに内視鏡４の先端の方位は必然的に（−１、０、０）であることがわかり、まさに内視鏡４の先端がＸ軸方向コイル１１１に正対していることが確認できる。
【００５９】
このとき、内視鏡の方位を、画像表示装置４１上の画像において右方向に回転させたいときに、ジョイスティック６０を右側に倒せば、制御装置５５は、磁気センサ６の方位の情報から直ちに、Ｙ軸方向コイル１２１が３軸コイルの内側から見てＮ極になり、Ｙ軸方向コイル１２２が３軸コイルの内側から見てＳ極になるようにそれぞれ主コイル電流を増加させ、またＸ軸方向コイル１１１、１１２に印加する電流を徐々に小さくするように制御することでこれを実現できる。
【００６０】
さらに、位置情報（Ｘ0，Ｙ0，Ｚ0）によってさらに精密な方位制御や、磁気勾配による並進力を作用させる制御が可能となる。
【００６１】
また、磁気トルクによる方位制御のみが重要な場合であれば、内視鏡の位置座標はあまり重要ではなく、内視鏡の方位情報が重要であって、なおかつ、対向するコイルは直列に接続されて、交流重畳電流も含めて同じ電源からコイル電流が供給され、被誘導部材が誘導される領域では極めて均一な磁界が発生している場合では、Ｈ11〜Ｈ33は定数になり、繰り返し計算をする必要なく、直接式１からＬx、Ｌy、Ｌzを求めることができる。前述したモデルのようにコイルが直交座標の軸上にあるモデルでは、Ｈ12、Ｈ13、Ｈ21、Ｈ23、Ｈ31、Ｈ32がすべて０になるので、計算はより簡単になる。
【００６２】
以下に変形例について説明する。
【００６３】
位相検波器３１〜３３による位相検波増幅は、いわゆる２位相検波型とすることもできる。この場合、例えば、Ｘ軸方向コイル１１２用電源２１２に、Ｘ軸方向コイル１１１に重畳する交流電流と同じ周波数であって、９０度位相の異なる交流電流を重畳する機構を備えさせ、同様に、Ｙ軸方向コイル１２２用電源２２２に、Ｙ軸方向コイル１２１に重畳する交流電流と同じ周波数であって、９０度位相の異なる交流電流を重畳する機構を備え、さらに、Ｚ軸方向コイル１３２用電源２３２に、Ｚ軸方向コイル１３１に重畳する交流電流と同じ周波数であって、９０度位相の異なる交流電流を重畳する機構を備えさせると、２位相検波型の位相検波器により得られる出力電圧信号を磁界に換算したＨs1〜Ｈs6は、以下の６式（式３）を満たす。
Ｈs1＝Ｈ11Ｌx＋Ｈ12Ｌy＋Ｈ13Ｌz
Ｈs2＝Ｈ21Ｌx＋Ｈ22Ｌy＋Ｈ23Ｌz
Ｈs3＝Ｈ31Ｌx＋Ｈ32Ｌy＋Ｈ33Ｌz
Ｈs4＝Ｈ41Ｌx＋Ｈ42Ｌy＋Ｈ43Ｌz
Ｈs5＝Ｈ51Ｌx＋Ｈ52Ｌy＋Ｈ53Ｌz
Ｈs6＝Ｈ61Ｌx＋Ｈ62Ｌy＋Ｈ63Ｌz
【００６４】
ここで、電源２１１からの参照信号から９０度ずれた信号を位相検波して得られた出力電圧信号Ｖs4を磁界に換算したものをＨs4、電源２２１からの参照信号から９０度ずれた信号を位相検波して得られた出力電圧信号Ｖs5を磁界に換算したものをＨs5、電源２３１からの参照信号から９０度ずれた信号を位相検波して得られた出力電圧信号Ｖs6を磁界に換算したものをＨs6としている。また、Ｘ軸方向コイル１１２に供給される交流電流による交流磁界の振幅ベクトルを（Ｈ41、Ｈ42、Ｈ43）、Ｙ軸方向コイル１２２に供給される交流電流による交流磁界の振幅ベクトルを（Ｈ51、Ｈ52、Ｈ53）、Ｚ軸方向コイル１３２に供給される交流電流による交流磁界の振幅ベクトルを（Ｈ61、Ｈ62、Ｈ63）としている。
【００６５】
この場合、図２のステップＳ１でＨs1〜Ｈs6を入力し、Ｈs1〜Ｈs6うちで、絶対値が大きいものから、式３の６つの方程式から、これと対応する３つの方程式を選んで、図２のステップＳ７に対応する方程式の解を求める計算を行うことにより、図２及び図３に示すのと同様のアルゴリズムで、内視鏡先端の方向と座標を求めることができる。この方法では、Ｘ軸方向コイル１１１およびＹ軸方向コイル１２１およびＺ軸方向コイル１３１から遠い位置において、Ｈs1〜Ｈs3の値が小さくなるために、内視鏡先端の方向と位置の検出精度が低下するという問題を改善することができる。
【００６６】
磁気センサ６は、ホール素子に代えて、例えば、交流磁界に対して感度の高いフラックスゲート、磁気によってインピーダンスが変化する素子、又は、磁気によって光学的特性が変化する（磁気光学的効果）素子を用いることができる。また、光ファイバと連結された磁気光学素子を用いることもでき、この場合は磁気センサ６に供給する電力や信号検知のための電気配線を省略できるという利点がある。
【００６７】
内視鏡４は、画像データや磁気センサ６の信号を無線信号で伝送するカプセル型の内視鏡でもよい。
【００６８】
上述の説明では、平行配置空芯コイル１０において、内視鏡に動力を与えるための磁界と内視鏡の位置及び方向を検知するための交流磁界の両方を発生させるようにしていたが、位置や方位検出のための交流磁界発生コイル、及び、この交流磁界発生コイルに交流電流を供給する電源を、内視鏡誘導用の磁界を発生するコイル及びこのコイルに電流を供給する電源とは別に設けることもできる。
【００６９】
さらに、上述の実施形態では、互いに直交する平行配置空芯コイルの場合について説明したが、コイルが平行配置でなくても、コイル間の角度が直交しなくても、同様の手法を用いて実施することができる。
【００７０】
また、主磁場あるいは位置や方位検出のための交流磁界発生のために磁性体（例えば、純鉄、鉄合金、プラチナマグネット、希土類磁石、金属磁石などの磁石）を挿通したコイルを使用した場合にも、電流と発生磁界の関係の非線形性を補正した計算を加えることにより、同様の手法を用いて実施することができる。
【００７１】
被誘導物の位置や方向を検出するための交流磁界を発生する手段としては、コイルに交流電流を供給することが一般的であるが、磁気誘導部材を微振動させるなどの機械的な操作を加えることで交流磁界を発生させてもよい。これは、例えばアーム機構などを利用してコイル111、121、131を微振動させることにより実現することができる。あるいは、例えば、磁気誘導部材の被誘導物側に設けた、一部が強磁性体からなる円板、を回転させるなど、磁気誘導部材に設けた磁気シールドの遮蔽効果に変調を加える（例えばコイルとセンサ間で遮蔽変調する）ことで交流磁界を発生させてもよい。あるいは、例えば、強磁性体からなる閉磁路構造の磁気発生部材を用いる場合に、ヨークの連結部に設けた空隙を機械的に周期的に変化させるなど、磁気誘導部材を構成する磁気回路の磁気抵抗に変調を加えることで交流磁界を発生させてもよい。
【００７２】
上述の実施形態では、１軸の磁気センサを用いた場合について説明したが、２軸、３軸などの多軸の磁気センサを被誘導部材に装着してもよい。
【００７３】
上述の実施形態では、位相検波器を用いて磁気センサからの信号を検波したが、フィルタ回路を使用して、磁気センサからの信号を検波しても良い。
【００７４】
本発明について上記実施形態を参照しつつ説明したが、本発明は上記実施形態に限定されるものではなく、改良の目的または本発明の思想の範囲内において改良または変更が可能である。
【図面の簡単な説明】
【００７５】
【図１】本発明の実施形態にかかる磁気誘導装置の構成を示す概略図である。
【図２】本発明の実施形態にかかる被誘導部材の位置や方向を求めるためのアルゴリズムの前半部分を示すフローチャートである。
【図３】図２のフローチャートに続くアルゴリズムの後半部分を示すフローチャートである。
【符号の説明】
【００７６】
４      内視鏡（被誘導部材）
５      磁性体
６      磁気センサ
１０    平行配置空芯コイル（磁気誘導部材）
２０Ａ  電源（交流電流供給手段）
２０Ｂ  電源
３０    位相検波器
３１    位相検波器
３２    位相検波器
３３    位相検波器
１１１  Ｘ軸方向コイル
１１２  Ｘ軸方向コイル
１２１  Ｙ軸方向コイル
１２２  Ｙ軸方向コイル
１３１  Ｚ軸方向コイル
１３２  Ｚ軸方向コイル
２１１  電源
２１２  電源
２２１  電源
２２２  電源
２３１  電源
２３２  電源
【図１】
0004766483.tif 000002
【図２】
0004766483.tif 000003
【図３】
0004766483.tif 000004